(57)【要約】【課題】作製容易な樹脂製でありながら、サイズを変更できる運転台２５を備えたコンバインを提供すること。【解決手段】車体２上に運転台２５の壁面である正面前壁面パネル３２の上部側に配置するメータパネル３６、ハンドレスト３０などの設置部と、さらにその側方に運転台２５への乗降時に受台支えアーム３５を一体成形で設け、正面前壁面パネル３２を車体幅方向に拡張する場合に正面前壁面パネル３２の側面にスペーサ３１を装着可能とし、ハンドレスト３０などの設置部と受台支えアーム３５の間にもスペーサ３３を装着可能にしたので、小型コンバインの運転台２５を大型コンバインの運転台２５として使用できるので設備コストが節約できる。【選択図】図４
2007054006.tif 000002
【特許請求の範囲】
【請求項１】
運転台（２５）のフロント側の正面前壁面パネル（３２）と、正面前壁面パネル（３２）の上部側に配置する車体操作時に機能するメータ類を含む機能部材（３０、３６）と、運転台（２５）への乗降時に正面前壁面パネル（３２）の側面側に設けた受台支えアーム（３５）を一体成形して自走式の車体（２）上に設け、該正面前壁面パネル（３２）部分を車体幅方向に拡張する場合に前記正面前壁面パネル（３２）の側面にスペーサ（３１）を装着可能にすると共に、機能部材（３０、３６）と受台支えアーム（３５）の間にもスペーサ（３３）を装着可能にしたことを特徴とする作業車両。
【発明の詳細な説明】
【技術分野】
【０００１】
本発明は、植立穀稈を収穫する作業車両に関し、特に運転台の構成に特徴となる作業車両に関する。
【背景技術】
【０００２】
作業車両はクローラを構成する無限履帯の接地面積を広くし、水田など軟弱な圃場でも自由に走行して刈取作業などの農作業を可能としている。  
作業車両の操縦席のある運転台には変速レバー、操向レバーなどの各種レバー、各種操作用の操作スイッチ類及び作業内容、車速などを表示する表示装置等が所狭しと配置されている。  
前記作業車両の運転台のパネルを樹脂で一体成形した作業車両がある（特許文献１）。
【特許文献１】特開２００３−９５１３４号公報
【発明の開示】
【発明が解決しようとする課題】
【０００３】
上記従来の作業車両の運転台には各種操作レバー、操作スイッチ、操作ダイヤル及び表示パネルなど、作業車両の操縦、刈り取った穀稈の脱穀処理、脱穀した穀粒の一時的貯蔵と外部への排出のための操作用の機器類が操縦席の廻りに配置されている。
【０００４】
上記特許文献１の運転台は樹脂製のものであるが、一体成形品であるため一旦製造工程が確立すると、その作製は容易である。しかし、その部分的な取り替えなどができないだけでなく、運転台のサイズを変更することはできない。即ち、機種によって専用の部品を作らなくてはならないという欠点があった。  
本発明の課題は、作製容易な樹脂製でありながら、サイズを変更できる運転台を備えた作業車両を提供することである。
【課題を解決するための手段】
【０００５】
上記課題は次の解決手段で解決される。  
請求項１記載の発明は、運転台（２５）のフロント側の正面前壁面パネル（３２）と、正面前壁面パネル（３２）の上部側に配置する車体操作時に機能するメータ類を含む機能部材（３０、３６）と、運転台（２５）への乗降時に正面前壁面パネル（３２）の側面側に設けた受台支えアーム（３５）を一体成形して自走式の車体（２）上に設け、該正面前壁面パネル（３２）部分を車体幅方向に拡張する場合に前記正面前壁面パネル（３２）の側面にスペーサ（３１）を装着可能にすると共に、機能部材（３０、３６）と受台支えアーム（３５）の間にもスペーサ（３３）を装着可能にした作業車両である。
【０００６】
請求項１記載の発明によれば、正面前壁面パネル（３２）の横幅を広げられるスペーサ（３１）を正面前壁面パネル（３２）の側面に追加することで、例えば、３、４条用のコンバインの運転台（２５）を５、６条クラスの居住性を重視するコンバインなどの作業車両の運転台（２５）とすることができる。
【０００７】
また、正面前壁面パネル（３２）の左側に縦長のスペーサ（３１）を追加する場合には、機能部材（３０、３６）と受台支えアーム（３５）の間にもスペーサ（３３）を装着して正面前壁面パネル（３２）部分の幅を拡大することができる。
【発明の効果】
【０００８】
請求項１記載の発明によれば、大きな設備資金を要する正面前壁面パネル（３２）を大型作業車両と小型作業車両で共用して使用する正面前壁面パネル（３２）部分と該共用正面前壁面パネル（３２）に小物のスペーサ（３１、３３）を追加するだけで、小型作業車両などの作業車両の運転台（２５）を大型の作業車両の運転台（２５）として使用できるので設備コストが節約できる。
【発明を実施するための最良の形態】
【０００９】
作業車両の一例であるコンバインを例に本発明の実施の形態を図面と共に説明する。  
図１は本実施例のコンバイン１の左側面図であり、図２は本実施例のコンバイン１の右側面図である。なお、本明細書では、幅方向又は左側及び右側とはコンバイン１が前進する方向に向いたときの方向を言う。
【００１０】
図１および図２に示すように、コンバイン１の車体２の下部側に土壌面を走行する左右一対の走行装置（以下、走行クローラと称す。）３を有する走行装置本体４を配設し、車体２の前端側に分草杆８を備えた刈取装置９が設けられている。刈取装置９は車体２の上方の支点を中心にして上下動する刈取装置支持フレーム７で支持されているので、コンバイン１に搭乗したオペレータが運転台２５の操縦席２０の操向レバー２１を前後に傾倒操作することにより、刈取装置支持フレーム７と共に上下に昇降する構成である。
【００１１】
車体２の上方には、刈取装置９から搬送されてくる穀稈を引き継いで搬送して脱穀、選別する脱穀装置１０と該脱穀装置１０で脱穀選別された穀粒を一時貯溜するグレンタンク１３が載置され、グレンタンク１３の後部にオーガ１５を連接して、グレンタンク１３内の穀粒をコンバイン１の外部に排出する構成としている。
【００１２】
すなわち、コンバイン１はオペレータが操縦席２０においてＨＳＴ主変速レバー２２および副変速レバー２３を操作し、エンジン（図示せず）の動力を図示しない走行トランスミッションケース内の主変速機を介して変速し、左右の走行クローラ３、３に伝動して任意の速度で走行する。
【００１３】
また、コンバイン１は、オペレータが操縦席２０において操向レバー２１を左右に傾倒操作することにより各種旋回走行することができる。すなわち、操向レバー２１をコンバイン１を旋回させようとする方向に傾倒操作することにより、左右の走行クローラ３、３に速度差が与えられて走行方向の変更が行われる構成としている。
【００１４】
図３〜図１１には操向レバー２１とハンドレスト３０などを含む運転台２５の構成を示す。  
図３は、操縦席２０を含む運転台２５の斜め後上方から見た斜視図である。運転台２５はフロント側の壁面である正面前壁面パネル３２と左サイド壁面パネル３４を備え、運転台２５の右側面はオペレータの乗降用の空間が設けられている。前記フロント側の正面前壁面パネル３２の右寄り部分にはパワステレバーと略称される操向レバー２１、その後方に近接する位置に、操向レバー２１を操作する時に操作腕や操作手を置くための受台（ハンドレスト）３０と、該受台３０を支持しかつオペレータが乗降する時の支えバーとなるアーム３５が機体に設けられている。また受台３０の左側には走行速度、グレンタンク１３内の穀粒の貯留量などを表示するフロントメータパネル３６が設けられ、またメータパネル３６の左側であってフロント側の正面前壁面パネル３２の左寄り部分には刈取装置９や走行用の機器を操縦するための操作パネル３７が設けられている。これら受台３０、アーム３５、メータパネル３６及び操作パネル３７は一体成形した合成樹脂から得られる。
【００１５】
また、左サイド側壁面パネル３４には主変速レバー２２と副変速レバー２３、刈取・脱穀レバー２４及びアクセルレバー２６とこれらのレバーを前後左右に操作するためのレバーガイドを備えたガイド板３８が設けられている。また、運転台２５の後部には操縦席２０が設けられており、該操作席２０の右側にオーガパネル４０が設けられている。前記操縦席２０はオペレータの乗降用の空間より後部側に位置し、かつ操縦席２０の右側部位には取っ手３９が機体に設けられていて、取っ手３９は前記受台支えアーム３５と共にオペレータがコンバイン１に乗降する際の把持部となる。
【００１６】
本実施例の運転台２５は、図４の運転台２５の正面図に示すように、正面前壁面パネル３２の左側に縦長のスペーサを追加することで正面前壁面パネル３２の幅を拡大することができる。  
フロントメータパネル３６と操作パネル３７を上部に備えた正面前壁面パネル３２に、面前壁面パネル３２の横幅を広げられるスペーサ３１を正面前壁面パネル３２の側面に分離可能に追加することで、３、４条用のコンバインの運転台を５、６条クラスの居住性を重視するコンバインの運転台とすることができる。
【００１７】
また、正面前壁面パネル３２の左側に縦長のスペーサ３１を追加する場合には、図５の運転台２５の上方から見た平面図に示すようにハンドレスト３０と受台支えアーム３５の間にもスペーサ３３を挿入して正面前壁面パネル部分の幅を拡大することができる。
【００１８】
製作のために大きな設備資金を要する正面前壁面パネル３２を大型コンバインと小型コンバインで共用して使用する正面前壁面パネル３２の部分と該共用正面前壁面パネル３２に小物のスペーサ３１、３３を追加するだけで、小型コンバインの運転台を大型コンバインの運転台として使用できるので設備コストが節約できる。
【００１９】
また図６の斜視図に示すように、ハンドレスト３０の下部にオーガ操作パネル設置部４２を設けても良い。オーガ操作パネル部はハンドレスト３０に設けた開閉自在のカバー部分の下部にあるので、該カバー部分を開くとオーガ操作パネル４０が操作可能になる構成である。
【００２０】
該オーガ操作パネル設置部４２にはオーガ操作用の各スイッチが設けられており、一番左側に三角形のオーガ上昇スイッチ６０、オーガ下降スイッチ６１、オーガ左旋回スイッチ６２、オーガ右旋回スイッチ６３が配置され、該三角形のスイッチ６０、６１、６２、６３の右側に円形の籾排出スイッチ６４、オーガ自動張出スイッチ６５、オーガ停止スイッチ６６、オーガ緊急停止スイッチ６７が配置され、一番右側にオーガ伸長スイッチ６８、オーガ縮少スイッチ６９が配置されている。  
このような構成からなるオーガ操作パネル設置部４２は操縦席２０に着席したオペレータが視認し易い前方位置にあるので、オーガ１５の操作性が従来より向上する。
【００２１】
また、図７に示すように本実施例のコンバイン１ではオペレータの刈取操作時の目線方向を照らすヘッドライト４１をメータパネル３６の前面に設けている。そのため、夜間作業ではオペレータの目線方向がオペレーターから穀稈の株元までよく見えるようにヘッドライト４１からの照明を照らすことができる。
【００２２】
さらに、本実施例のコンバイン１では運転台２５をキャビン式にすると該キャビンには屋根と窓を設ける必要があるが、図８に示すように屋根を支持するメイン支柱５６を操縦席２０の後方に一本だけ配置し、また操縦席２０の両側にサブ支柱５７、５７をそれぞれ設け、メイン支柱５６と両側のサブ支柱５７、５７との間にガラス板５８をはめ込んで運転台２５を閉鎖空間とすることができる。そしてメイン支柱５６を操縦席２０の後方に一本だけ配置したので、キャビンからの後方視界が良好くなる。  
従来コンバインのキャビンの後方視界性はほとんど考えられていなかったが、本実施例では後方視界性の良いキャビンが得られた。
【００２３】
また、操縦席２０の両側のサブ支柱５７、５７はメイン支柱５６でキャビンの強度が不足するので補強用に用いる。またメイン支柱５６は、前記キャビンの剛性を保ち、エアコン等の配管を十分に通せる様、しっかりとした幅のフレームにする。
【００２４】
さらに、図９、図１０、図１１に示すように前記操縦席２０と取っ手３９の間にはオーガコントロール用のオーガ操作用リモコン操作具４３の凹状設置部４２’が設けられている。オーガ操作用リモコン操作具４３の凹状設置部４２’と取っ手３９は一体成形樹脂で成形することができ、部品点数を削減して製造コストを従来より下げることができる。
【００２５】
従ってオペレータがオーガ操作用のリモコン操作具４３を使用しないとき、又は操縦席２０に着席したままオーガ操作用リモコン操作具４３を使用するときには、リモコン設置部４２にリモコン操作具４３を収納しておき、操縦席２０を離れてオペレータがリモコン操作具４３を使用するときにはこれを携帯することができる。
【００２６】
リモコン操作具４３には、図１１に示すように、オーガ操作用の各スイッチが設けられており、一番上方に配置された十字型のスイッチ７０はオーガ上昇スイッチ７０ａ、オーガ下降スイッチ７０ｂ、オーガ左旋回スイッチ７０ｃ、オーガ右旋回スイッチ７０ｄを備え、該スイッチ７０の下方に配置された十字型のスイッチ７１はオーガ排出口伸長スイッチ７１ａ、オーガ排出口縮少スイッチ７１ｂ、オーガ排出口左回動スイッチ７１ｃ、オーガ排出口右回動スイッチ７１ｄを備え、該スイッチ７１の下方にはオーガ緊急停止スイッチ７２、オーガ自動収納スイッチ７３、オーガ自動張出スイッチ７４、籾排出停止スイッチ７５、籾排出入スイッチ７６を配置し、リモコン操作具４３の一番下方にはオーガ自動張出位置セットダイヤル７７を配置されている。
【００２７】
また、主変速レバー２２のグリップの右側下方部にコンバイン１の作業状態等の情報モニタ２９（図３）を設け、グレンタンク１３の籾量を確認できるようにすると、夜間作業時等に主変速レバー２２の位置・状態が把握し易くなる。加えて、該モニタ２９の下側の照明具１９が３７を照らし、主変速レバー２２の左側下方部の照明具１８が２３、２４の基部を照らすようにすると、夜間作業性が良くなる。  
また、前記モニタ２９での表示情報とメインのフロンメータパネルでの表示情報とを分別して配置することができる。
【産業上の利用可能性】
【００２８】
本発明は操縦性の優れたコンバインとして利用可能性がある。
【図面の簡単な説明】
【００２９】
【図１】本発明の一実施例のコンバインの左側面図である。
【図２】図１のコンバインの右側面図である。
【図３】図１のコンバインの運転台の斜め後上方から見た斜視図である。
【図４】図１のコンバインの運転台の正面図である。
【図５】図１のコンバインの運転台の平面図である。
【図６】図１のコンバインの運転台のハンドレスト部分の斜視図である。
【図７】図１のコンバインの運転台にヘッドライトの装着時の照明の方向を説明する図である。
【図８】図１のコンバインの運転台をキャビン式にした場合の屋根を取り除いた状態での斜視図である。
【図９】図１のコンバインの操縦席の左側にオーガリモコン取付座を設け、該オーガリモコン取付座にリモコン操作具を配置した状態を示す斜視図である。
【図１０】図９のオーガリモコン取付座からリモコン操作具を取り外した状態を示す斜視図である。
【図１１】図９のモコン操作具の正面図である。
【符号の説明】
【００３０】
１  コンバイン                          ２    車体
３  走行装置（走行クローラ）            ４    走行装置本体
７  刈取装置支持フレーム                ８    分草杆
９  刈取装置                            １０  脱穀装置
１３  グレンタンク                      １５  オーガ
１８、１９  照明具                      ２０  操縦席
２１  操向レバー                        ２２  主変速レバー
２３  副変速レバー                      ２４  刈取・脱穀レバー
２５  運転台                            ２６  アクセルレバー
２７  メインキー                        ２８  ホーン・ウインカ用コンビスイッチ
２９  モニタ                            ３０  ハンドレスト
３１、３３  スペーサ                    ３２  正面前壁面パネル
３４  サイド側壁面パネル                ３５  受台支えアーム
３６  フロントメータパネル              ３７  操作パネル
３８  ガイド板                          ３９  取っ手
４０  オーガ操作パネル                  ４１  ヘッドライト
４２、４２’  オーガ操作パネル設置部    ４３  リモコン操作具
５６  メイン支柱                        ５７  サブ支柱
５８  ガラス板                          ６０、７０ａ  オーガ上昇スイッチ
６１、７０ｂ  オーガ下降スイッチ        ６２、７０ｃ  オーガ左旋回スイッチ
６３、７０ｄ  オーガ右旋回スイッチ      ６４  籾排出スイッチ
６５、７４  オーガ自動張出スイッチ      ６６  オーガ停止スイッチ
６７、７２  オーガ緊急停止スイッチ      ６８  オーガ伸長スイッチ
６９  オーガ縮少スイッチ                ７０、７１  十字型のスイッチ
７１ａ  オーガ排出口伸長スイッチ        ７１ｂ  オーガ排出口縮少スイッチ
７１ｃ  オーガ排出口左回動スイッチ      ７１ｄ  オーガ排出口右回動スイッチ
７３  オーガ自動収納スイッチ            ７５  籾排出停止スイッチ
７６  籾排出入スイッチ                  ７７  オーガ自動張出位置セットダイヤル
【図１】
2007054006.tif 000003
【図２】
2007054006.tif 000004
【図３】
2007054006.tif 000005
【図４】
2007054006.tif 000006
【図５】
2007054006.tif 000007
【図６】
2007054006.tif 000008
【図７】
2007054006.tif 000009
【図８】
2007054006.tif 000010
【図９】
2007054006.tif 000011
【図１０】
2007054006.tif 000012
【図１１】
2007054006.tif 000013